【手続補正書】
【提出日】平成24年9月27日(2012.9.27)
【手続補正１】
【補正対象書類名】明細書
【補正対象項目名】０００９
【補正方法】変更
【補正の内容】
【０００９】
上記の目的を達成するために、本発明の第１の態様の液晶表示装置は、第一の薄膜トランジスタに接続された第一画素電極と第二の薄膜トランジスタに接続された第二画素電極とが画素毎に形成され、前記第一の薄膜トランジスタと前記第二の薄膜トランジスタとが、互いに同じデータ信号線及び走査信号線に接続され、前記第一画素電極と共通電極との間及び前記第二画素電極と前記共通電極との間に液晶層が形成され、前記第一画素電極との間に第一誘電層が介在されて第一補償容量を形成する第一容量電極と、前記第二画素電極との間に第二誘電層が介在されて第二補償容量を形成する第二容量電極と、前記第二画素電極との間に第三誘電層が介在されて第三補償容量を形成する第三容量電極と、前記画素のうちの前記第一画素電極が設けられた第一画素部と前記第二画素電極が設けられた第二画素部の少なくとも何れか一方に設けられ、その画素部を区分した二つの領域のうちの一方の領域の液晶分子を所定の第一のチルト方向にチルトさせ、他方の領域の液晶分子を前記第一の方向とは異なる第二のチルト方向にチルトさせるチルト方向規定手段と、前記第一容量電極と前記第二容量電極とに前記共通電極への印加電圧と同じ第一の電圧を印加し、前記第三容量電極に前記第一の電圧とは異なる第二の電圧を印加する手段と、を備えた、ことを特徴とする。
【手続補正２】
【補正対象書類名】明細書
【補正対象項目名】００１０
【補正方法】変更
【補正の内容】
【００１０】
上記の目的を達成するために、本発明の第２の態様の液晶表示装置は、第一の薄膜トランジスタに接続された第一画素電極と第二の薄膜トランジスタに接続された第二画素電極とが画素毎に形成され、前記第一の薄膜トランジスタと前記第二の薄膜トランジスタとが、互いに同じデータ信号線及び走査信号線に接続され、前記第一画素電極と共通電極との間及び前記第二画素電極と前記共通電極との間に液晶層が形成され、前記第一画素電極との間に第一誘電層が介在されて第一補償容量を形成する第一容量電極と、前記第二画素電極との間に第二誘電層が介在されて第二補償容量を形成する第二容量電極と、前記第二画素電極との間に第三誘電層が介在されて第三補償容量を形成する第三容量電極と、前記第一画素電極の少なくとも一方の側とその反対側の二つの辺の外側に前記第一画素電極と絶縁して配置され、前記第一画素電極との間に横電界を生じさせる第一の横電界生成電極と、前記第二画素電極の少なくとも互いに反対側の二つの辺の外側に前記第二画素電極と絶縁して配置され、前記第二画素電極との間に横電界を生じさせる第二の横電界生成電極と、前記共通電極上または前記共通電極に、前記画素のうちの前記第一画素電極が設けられた第一画素部を、前記第一画素電極の前記一方の辺側の第一領域と前記他方の辺側の第二領域とに区分するように形成され、前記第一画素電極と前記共通電極との間に生じた電界の強度を低下させる第一の電界減衰手段と、前記共通電極上または前記共通電極に、前記画素のうちの前記第二画素電極が設けられた第二画素部を、前記第二画素電極の前記一方の辺側の第三領域と前記他方の辺側の第四領域とに区分するように形成され、前記第二画素電極と前記共通電極との間に生じた電界の強度を低下させる第二の電界減衰手段と、前記第一容量電極と前記第二容量電極とに前記共通電極への印加電圧と同じ第一の電圧を印加し、前記第三容量電極に前記第一の電圧とは異なる第二の電圧を印加する手段と、を備えた、ことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３３
【補正方法】変更
【補正の内容】
【００３３】
【図１】この発明の第一実施例を示す液晶表示装置の構成図。
【図２】第一実施例における液晶表示素子の平面図。
【図３】前記液晶表示素子の側面図。
【図４】前記液晶表示素子の第一基板の一部分の被覆絶縁膜及び第一配向膜を省略し    た平面図。
【図５】図４の一つの画素部分の拡大図。
【図６】図４のVI−VI矢視線に沿う拡大断面図。
【図７】図４のVII−VII矢視線に沿う拡大断面図。
【図８】図４のVIII−VIII矢視線に沿う拡大断面図。
【図９】図４のIX−IX矢視線に沿う拡大断面図。
【図１０】図８のX部の拡大図。
【図１１】前記液晶表示素子の液晶分子の初期配向状態及び第一及び第二偏光板の吸収軸の向きを示す平面図。
【図１２】第一実施例における第一、第二、第三容量電極及び第一、第二の横電界生成電極と第一、第二の電界減衰手段の配置図。
【図１３】前記液晶表示素子の一つの画素の回路図。
【図１４】前記液晶表示素子を駆動する走査信号とデータ信号と第一及び第二の電圧の波形図。
【図１５】前記第一の電圧と前記第二の電圧との電圧差を示す図。
【図１６】前記画素の第一画素部における第一画素電極と共通電極との間に印加される電圧を示す図。
【図１７】前記画素の第二画素部における第二画素電極と共通電極との間に印加される電圧を示す図。
【図１８】前記第一画素部と前記第二画素部の液晶層での電圧−透過率特性図。
【図１９】第一実施例の液晶表示装置における無電界時の液晶分子の配向状態を模式    的に示す断面図。
【図２０】第一実施例の液晶表示装置における駆動電界の歪みと液晶分子の配向状態    とを模式的に示す断面図。
【図２１】第一実施例の液晶表示装置における一つの画素の液晶分子のノーマルチル    ト領域とリバースチルト領域とを示す平面図。
【図２２】第一比較例の液晶表示装置の視角−輝度特性図。
【図２３】第二比較例の液晶表示装置の視角−輝度特性図。
【図２４】第三比較例の液晶表示装置の視角−輝度特性図。
【図２５】第一実施例の液晶表示装置の視角−輝度特性図。
【図２６】第一及び第二の電界減衰手段の変形例を示す断面図。
【図２７】第一及び第二の電界減衰手段の他の変形例を示す断面図。
【図２８】第一及び第二の電界減衰手段の他の変形例を示す断面図。
【図２９】図１４の走査信号とデータ信号と第一及び第二電圧のうちの第二電圧を矩形波交流電圧とした例を示す図。
【図３０】図１４の走査信号とデータ信号と第一及び第二電圧のうちの第二電圧を他の矩形波交流電圧とした例を示す図。
【図３１】第一実施例における第二容量電極、第二の横電界生成電極及び第三容量電極の他の配置例を示す図。
【図３２】第一実施例における第一容量電極、第二容量電極、第一の横電界生成電極及び第二の横電界生成電極の変形例を示す図。
【図３３】この発明の第二実施例を示す液晶表示素子の第一基板の一部分の第一被覆絶縁膜と第二被覆絶縁膜及び第一配向膜を省略した平面図。
【図３４】図３３の一つの画素部分の拡大図。
【図３５】図３３のXXXV−XXXV矢視線に沿う拡大断面図。
【図３６】図３３のXXXVI−XXXVI矢視線に沿う拡大断面図。
【図３７】第二実施例における第一、第二、第三容量電極及び第一、第二の横電界生成電極と第一、第二の電界減衰手段の配置図。
【図３８】この発明の第三実施例を示す液晶表示素子の第一基板の図３５に対応する部分の断面図。
【図３９】第三実施例における第一、第二、第三容量電極及び第一、第二の横電界生成電極と第一、第二の電界減衰手段の配置図。
【図４０】この発明の第四実施例を示す液晶表示素子の第一基板の図３５に対応する部分の断面図。
【図４１】第四実施例における第一、第二、第三容量電極及び第一、第二の横電界生成電極と第一、第二の電界減衰手段の配置図。
【図４２】この発明の第五実施例を示す第一、第二、第三容量電極及び第一、第二の横電界生成電極と第一、第二の電界減衰手段の配置図。
【図４３】この発明の第六実施例を示す液晶表示素子の第一基板の図３５に対応する部分の断面図。
【図４４】第六実施例における第一、第二、第三容量電極及び第一、第二の横電界生成電極と第一、第二の電界減衰手段の配置図。
【図４５】この発明の第七実施例の液晶表示装置における無電界時の液晶分子の配向状態を模式的に示す断面図。
【図４６】第七実施例の液晶表示装置における駆動電界の歪みと液晶分子の配向状態を模式的に示す断面図。
【図４７】この発明の第八実施例を示す液晶表示素子の第一基板の一つの画素部分の被覆絶縁膜及び第一配向膜を省略した平面図。
【手続補正２５】
【補正対象書類名】明細書
【補正対象項目名】００４１
【補正方法】変更
【補正の内容】
【００４１】
また、前記第一基板３には、前記各画素電極５にそれぞれ対応させて、前記第一画素電極５ａに接続された第一のＴＦＴ９ａと、前記第二画素電極５ｂに接続された第二のＴＦＴ９ｂと、が配置されている。この第一ＴＦＴ９ａと第二ＴＦＴ９ｂとは、前記第一画素電極５ａと第二画素電極５ｂとの間の領域に、前記行方向に並べて配置されている。
【手続補正２６】
【補正対象書類名】明細書
【補正対象項目名】００７１
【補正方法】変更
【補正の内容】
【００７１】
なお、ドライバ搭載部３ａには、前記第一の電圧を供給するための第一電圧入力端子３６ａと、前記第二の電圧を供給するための第二電圧入力端子３６ｂと、が形成されている。また、図では省略しているが、第一基板３の画面エリア１ａの外側には、前記第一電圧入力端子３６ａに接続された一本の第一電圧供給線と、前記第二電圧入力端子３６ｂに接続された一本の第二電圧供給線と、がデータ信号線８と平行に配線されている。
【手続補正２７】
【補正対象書類名】明細書
【補正対象項目名】００７３
【補正方法】変更
【補正の内容】
【００７３】
また、行毎に共通接続された全ての行の第三容量電極１９は、前記一本の第二電圧供給線に接続されている。すなわち、各行の第三容量電極１９には、前記第二電圧入力端子３６ｂに供給された第二電圧が印加される。
【手続補正２８】
【補正対象書類名】明細書
【補正対象項目名】００８８
【補正方法】変更
【補正の内容】
【００８８】
一方、前記第二基板４には、図６〜図９のように、赤色フィルタ２４Ｒ、緑色フィルタ２４Ｇ及び青色フィルタ２４Ｂの三色のカラーフィルタが、各画素３３の列毎に交互に並べて形成されている。さらに、前記第二基板４には、各行及び各列の隣り合う画素３３，３３の間の領域及び各画素３３のメイン画素部３３ａとサブ画素部３３ｂとの間の領域に対応させて遮光膜２５が形成されている。
【手続補正２９】
【補正対象書類名】明細書
【補正対象項目名】００９１
【補正方法】変更
【補正の内容】
【００９１】
また、前記第一の電界減衰手段２６ａと第二の電界減衰手段２６ｂとは、第二基板２に設けられている。そして、第一の電界減衰手段２６ａは、前記メイン画素部３３ａを第一領域３４ａと第二領域３４ｂとに区分するように配置され、前記第二の電界減衰手段２６ｂは、前記サブ画素部３３ｂを第三領域３４ｃと第四領域３４ｄとに区分するように配置されている。
【手続補正３０】
【補正対象書類名】明細書
【補正対象項目名】０１０１
【補正方法】変更
【補正の内容】
【０１０１】
また、前記第一基板３と第二基板４とは、図２及び図３のように、所定の間隙を設けて対向配置され、画面エリア１ａを囲む枠状のシール材３０を介して貼り合わされている。そして、前記第一画素電極５ａと共通電極６との間及び第二画素電極５ｂと前記共通電極６との間に液晶層２が形成されている。前記液晶層２は、前記第一基板３と第二基板４との間の間隙の前記シール材３０で囲まれた領域に、誘電異方性が正のネマティック液晶を封入して形成されている。
【手続補正３１】
【補正対象書類名】明細書
【補正対象項目名】０１１４
【補正方法】変更
【補正の内容】
【０１１４】
図１４において、ｔ１，ｔ２，ｔ３，ｔ４，…ｔｎは、一画面を表示する１フレーム（第一行から最終行までの各画素行を順次選択して全ての画素行の各画素３３に一画面分のデータ信号を印加する期間）を前記各画素の行数で分割した各画素行の選択期間であり、ｔ１は第一行の選択期間、ｔ２は第二行の選択期間、ｔ３は第三行の選択期間、ｔ４は第四行の選択期間、ｔ５は第五行の選択期間、ｔｎは最終行（ｎ行）の選択期間である。
【手続補正３２】
【補正対象書類名】明細書
【補正対象項目名】０１１５
【補正方法】変更
【補正の内容】
【０１１５】
また、図１４において、Ｇ１，Ｇ２，Ｇ３，Ｇ４，…Ｇｎは各走査信号線７にそれぞれ印加される走査信号であり、Ｇ１は第一行の走査信号線７に印加される走査信号、Ｇ２は第二行の走査信号線７に印加される走査信号、Ｇ３は第三行の走査信号線７に印加される走査信号、Ｇ４は第四行の走査信号線７に印加される走査信号、Ｇ５は第五行の走査信号線７に印加される走査信号、Ｇｎは最終行（ｎ行）の走査信号線７に印加される走査信号である。
【手続補正３３】
【補正対象書類名】明細書
【補正対象項目名】０１１８
【補正方法】変更
【補正の内容】
【０１１８】
また、前記第一電圧発生回路４４は、制御部４６からの制御信号に基づいて、第一の電圧Ｖ１を発生する。この第一電圧Ｖ１は、前記液晶表示素子１のドライバ搭載部３ａに形成された第一電圧入力端子３６ａを介して、共通電極６と、各行の第一容量電極１７及び第二容量電極１８と、に印加される（図２参照）。
【手続補正３４】
【補正対象書類名】明細書
【補正対象項目名】０１２３
【補正方法】変更
【補正の内容】
【０１２３】
一方、前記第二電圧発生回路４５は、制御部４６からの制御信号に基づいて、前記第一電圧Ｖ１とは異なる第二の電圧Ｖ２を発生する。この第二電圧Ｖ２は、図１４に示したように、一定レベルの直流電圧であり、前記液晶表示素子１のドライバ搭載部３ａに形成された第二電圧入力端子３６ｂを介して、各行の第三容量電極１９に印加される（図２参照）。
【手続補正３５】
【補正対象書類名】明細書
【補正対象項目名】０１４３
【補正方法】変更
【補正の内容】
【０１４３】
そのため、前記コモン信号Ｖｃｏｍの電圧レベルが前記第一行の選択期間ｔ１の電圧レベルに対して反転すると、共通電極６と第三容量電極１９との間の電圧値の低下に伴って、第二画素容量ＣＬＣ２と第二補償容量Ｃｓ２及び第三補償容量Ｃｓ３のそれぞれのチャージ電圧が、これらのＣＬＣ２，Ｃｓ２，Ｃｓ３の容量値に対応した比率で降圧する。
【手続補正３６】
【補正対象書類名】明細書
【補正対象項目名】０１４４
【補正方法】変更
【補正の内容】
【０１４４】
また、前記コモン信号Ｖｃｏｍの電圧レベルが前記第一行の選択期間ｔ１の電圧レベルと同じになると、前記第二画素容量ＣＬＣ２及び前記第二補償容量Ｃｓ２のチャージ電圧と前記第三補償容量Ｃｓ３のチャージ電圧がそれぞれ前記第一画素行の選択期間ｔ１における書込み終了後の電圧（第二ＴＦＴ９ｂがオフした後の電圧）になる。
【手続補正３７】
【補正対象書類名】明細書
【補正対象項目名】０１６５
【補正方法】変更
【補正の内容】
【０１６５】
これは、サブ画素部３３ｂにおいても同じであり、サブ画素部３３ｂでは、右側の第三領域３４ｃの液晶分子２ａがノーマルチルトし、左側の第四領域３４ｄの液晶分子２ａがリバースチルトする。
【手続補正３８】
【補正対象書類名】明細書
【補正対象項目名】０１６６
【補正方法】変更
【補正の内容】
【０１６６】
図２１において、右上がりの平行斜線を施した領域は、液晶分子２ａがノーマルチルトする領域、左上がりの平行斜線を施した領域は、液晶分子２ａがリバースチルトする領域、この実施例では、メイン画素部３３ａの第一領域３４ａと、サブ画素部３３ｂの第三領域３４ｃと、において液晶分子２ａがノーマルチルトし、メイン画素部３３ａの第二領域３４ｂと、サブ画素部３３ｂの第四領域３４ｄと、において液晶分子２ａがリバースチルトする。
【手続補正３９】
【補正対象書類名】明細書
【補正対象項目名】０１８２
【補正方法】変更
【補正の内容】
【０１８２】
図２５のように、上記実施例の液晶表示装置の視角−輝度特性は、０°〜３６０°の各視角において、階調潰れや階調反転が殆んど無い表示が得られる特性であり、従って、充分に広い視野角を得ることができる。
【手続補正４０】
【補正対象書類名】明細書
【補正対象項目名】０１９８
【補正方法】変更
【補正の内容】
【０１９８】
そして、このように第一誘電層、第二誘電層及び第三誘電層を、同一の層として形成することにより、前記各補償容量Ｃｓ１，Ｃｓ２，Ｃｓ３を一括して同時に形成することができる。
【手続補正４１】
【補正対象書類名】明細書
【補正対象項目名】０１９９
【補正方法】変更
【補正の内容】
【０１９９】
また、上記実施例では、前記共通電極６に印加するコモン信号Ｖｃｏｍと前記第一容量電極１７に印加する第一電圧Ｖ１（Ｖｃｏｍ＝Ｖ１）を、電圧レベルが所定の周期で反転する矩形波交流電圧、例えば１フレーム中の各画素行の選択期間ｔ１，ｔ２，ｔ３，ｔ４，…ｔｎ毎に電圧レベルが反転する矩形波交流電圧としている。そのため、前記各画素３３のメイン画素部３３ａの液晶に、前記第一行の選択期間ｔ１の書込み終了後から１フレームの終了時までの期間中、前記第一保持電圧Ｖａ１に対応した一定値の実効電圧を印加することができる。
【手続補正４２】
【補正対象書類名】明細書
【補正対象項目名】０２２２
【補正方法】変更
【補正の内容】
【０２２２】
さらに、第一及び第二の横電界生成電極２２，２３は、前記第一電圧Ｖ１を印加され、第一画素電極５ａとの間及び第二画素電極５ｂとの間に横電界を生じさせる。また、第一画素電極５ａ及び第二画素電極５ｂと共通電極６との間に生じた駆動電界のうち、第一誘電体層２６ａに対応する領域及び第二誘電体層２６ｂに対応する領域の電界の強度が、前記第一及び第二誘電体層２６ｂでの電圧降下により低下する。
【手続補正４３】
【補正対象書類名】明細書
【補正対象項目名】０２４３
【補正方法】変更
【補正の内容】
【０２４３】
従って、この第五実施例においても、前記第一、第二、第三及び第四の各領域３４ａ，４４ｂ，４４ｃ，４４ｄの視野角特性を互いに異ならせ、これらの視野角特性が相乗した充分に広い視野角を得ることができる。また、前記第三容量電極１９に印加する第二電圧Ｖ２を制御することにより、表示装置相互間の視野角のばらつきを容易に補正することができる。
【手続補正４４】
【補正対象書類名】明細書
【補正対象項目名】０２５９
【補正方法】変更
【補正の内容】
【０２５９】
これは、サブ画素部３３ｂにおいても同じであり、サブ画素部３３ｂでは、駆動電界の印加により、右側の第三領域３４ｃの液晶分子２ａがノーマルチルトし、左側の第四領域３４ｄの液晶分子２ａがリバースチルトする。
【手続補正４５】
【補正対象書類名】明細書
【補正対象項目名】０２６７
【補正方法】変更
【補正の内容】
【０２６７】
［他の実施例］
なお、上記各実施例では、第一、第二及び第三容量電極１７，１８，１９の全てを第一
基板３上または第一被覆絶縁膜２０ａ上に形成しているが、各容量電極１７，１８，１９
のうちの一つまたは二つの容量電極を、上記第一実施例と同様に第一基板３上に形成し、
他の容量電極を、上記第二実施例から第六実施例と同様に第一被覆絶縁膜２０ａ上に形成
してもよい。
【手続補正４６】
【補正対象書類名】明細書
【補正対象項目名】０２７３
【補正方法】変更
【補正の内容】
【０２７３】
さらに、この場合は、第一配向膜２８と第二配向膜２９とをそれぞれ、前記第一及び第二の電界減衰手段の延伸方向に対して交差する方向にラビングすればよく、このようにすることにより、前記第一、第二、第三及び第四の各領域３４ａ，４４ｂ，４４ｃ，４４ｄの視野角特性を互いに異ならせ、これらの視野角特性が相乗した、充分に広い視野角を得ることができる。
【手続補正４７】
【補正対象書類名】明細書
【補正対象項目名】０２９０
【補正方法】変更
【補正の内容】
【０２９０】
また、この発明は、ＴＮ型または非ツイストのホモジニアス配向型液晶表示装置に限らず、他の液晶表示装置、例えば負の誘電異方性を有する液晶を用い、その液晶分子を基板面に対して垂直な方向に分子長軸を向けて配向させた垂直配向型液晶表示装置等にも適用することができる。
【手続補正４８】
【補正対象書類名】特許請求の範囲
【補正対象項目名】全文
【補正方法】変更
【補正の内容】
【特許請求の範囲】
【請求項１】
第一の薄膜トランジスタに接続された第一画素電極と第二の薄膜トランジスタに接続された第二画素電極とが画素毎に形成され、
前記第一の薄膜トランジスタと前記第二の薄膜トランジスタとが、互いに同じデータ信号線及び走査信号線に接続され、
前記第一画素電極と共通電極との間及び前記第二画素電極と前記共通電極との間に液晶層が形成され、
前記第一画素電極との間に第一誘電層が介在されて第一補償容量を形成する第一容量電極と、
前記第二画素電極との間に第二誘電層が介在されて第二補償容量を形成する第二容量電極と、
前記第二画素電極との間に第三誘電層が介在されて第三補償容量を形成する第三容量電極と、
前記画素のうちの前記第一画素電極が設けられた第一画素部と前記第二画素電極が設けられた第二画素部の少なくとも何れか一方に設けられ、その画素部を区分した二つの領域のうちの一方の領域の液晶分子を所定の第一のチルト方向にチルトさせ、他方の領域の液晶分子を前記第一の方向とは異なる第二のチルト方向にチルトさせるチルト方向規定手段と、
前記第一容量電極と前記第二容量電極とに前記共通電極への印加電圧と同じ第一の電圧を印加し、前記第三容量電極に前記第一の電圧とは異なる第二の電圧を印加する手段と、
を備えた、
ことを特徴とする液晶表示装置。
【請求項２】
前記第一画素部と前記第二画素部との何れか一方のみに、前記チルト方向規定手段が設けられていることを特徴とする請求項１に記載の液晶表示装置。
【請求項３】
前記第一画素部と前記第二画素部とは互いに異なる面積を有しており、前記各画素部のうちの、面積が大きい画素部に前記チルト方向規定手段が設けられていることを特徴とする請求項１又は２に記載の液晶表示装置。
【請求項４】
前記チルト方向規定手段は、前記画素電極と前記共通電極との間に生じた電界による液晶分子のチルト方向を前記第一のチルト方向と前記第二のチルト方向とに規定することを特徴とする請求項１乃至３のいずれかに記載の液晶表示装置。
【請求項５】
前記チルト方向規定手段は、前記画素電極と前記共通電極との間に生じた電界の向きを、前記一方の領域において前記第一のチルト方向に歪ませ、前記他方の領域において前記第二のチルト方向に歪ませる手段からなることを特徴とする請求項１乃至４のいずれかに記載の液晶表示装置。
【請求項６】
前記チルト方向規定手段は、前記画素電極の前記一方の領域側の辺及び前記他方の領域側の辺の外側に配置され、前記画素電極との間に横電界を生じさせる横電界生成手段と、前記画素部を前記第一画素電極の前記一方の辺側の第一領域と前記他方の辺側の第二領域とに区分するように配置され、前記第一画素電極と前記共通電極との間に生じた電界の強度を部分的に低下させる電界減衰手段と、からなることを特徴とする請求項１乃至５のいずれかに記載の液晶表示装置。
【請求項７】
第一の薄膜トランジスタに接続された第一画素電極と第二の薄膜トランジスタに接続された第二画素電極とが画素毎に形成され、
前記第一の薄膜トランジスタと前記第二の薄膜トランジスタとが、互いに同じデータ信号線及び走査信号線に接続され、
前記第一画素電極と共通電極との間及び前記第二画素電極と前記共通電極との間に液晶層が形成され、
前記第一画素電極との間に第一誘電層が介在されて第一補償容量を形成する第一容量電極と、
前記第二画素電極との間に第二誘電層が介在されて第二補償容量を形成する第二容量電極と、
前記第二画素電極との間に第三誘電層が介在されて第三補償容量を形成する第三容量電極と、
前記第一画素電極の少なくとも一方の側とその反対側の二つの辺の外側に前記第一画素電極と絶縁して配置され、前記第一画素電極との間に横電界を生じさせる第一の横電界生成電極と、
前記第二画素電極の少なくとも互いに反対側の二つの辺の外側に前記第二画素電極と絶縁して配置され、前記第二画素電極との間に横電界を生じさせる第二の横電界生成電極と、
前記共通電極上または前記共通電極に、前記画素のうちの前記第一画素電極が設けられた第一画素部を、前記第一画素電極の前記一方の辺側の第一領域と前記他方の辺側の第二領域とに区分するように形成され、前記第一画素電極と前記共通電極との間に生じた電界の強度を低下させる第一の電界減衰手段と、
前記共通電極上または前記共通電極に、前記画素のうちの前記第二画素電極が設けられた第二画素部を、前記第二画素電極の前記一方の辺側の第三領域と前記他方の辺側の第四領域とに区分するように形成され、前記第二画素電極と前記共通電極との間に生じた電界の強度を低下させる第二の電界減衰手段と、
前記第一容量電極と前記第二容量電極とに前記共通電極への印加電圧と同じ第一の電圧を印加し、前記第三容量電極に前記第一の電圧とは異なる第二の電圧を印加する手段と、を備えた、
ことを特徴とする液晶表示装置。
【請求項８】
前記第一の横電界生成電極は、前記第一画素電極の前記二つの辺のうちの一方の辺側と他方の辺側とで互いに逆向きの横電界を生じさせるように形成され、前記第二の横電界生成電極は、前記第二画素電極の前記二つの辺のうちの一方の辺側と他方の辺側とで互いに逆向きの横電界を生じさせるように形成されていることを特徴とする請求項７に記載の液晶表示装置。
【請求項９】
前記第一の横電界生成電極及び前記第二の横電界生成電極に、前記第一容量電極と前記第二容量電極とに印加される前記第一の電圧と同じ電圧が印加されることを特徴とする請求項７又は８に記載の液晶表示装置。
【請求項１０】
前記第一画素電極と前記第二画素電極との間を延伸するように前記走査信号線が配置されていることを特徴とする請求項７乃至９のいずれかに記載の液晶表示装置。
【請求項１１】
前記第一画素電極と前記第二画素電極はそれぞれ、前記走査信号線の延伸方向と平行な二つの横辺と、前記走査信号線の延伸方向に対して交差する二つの縦辺とを有する四角形状に形成されていることを特徴とする請求項１０に記載の液晶表示装置。
【請求項１２】
前記第一容量電極は、前記第一画素電極の全ての辺に重なるように形成されていることを特徴とする請求項１１に記載の液晶表示装置。
【請求項１３】
前記第二容量電極は、前記第二画素電極の前記二つの横辺の何れか一方と前記二つの縦辺の両方とに重なるように形成され、前記第三容量電極は、前記第二容量電極との間に所定の間隔をあけて、前記第二画素電極の前記二つの横辺の他方に重なるように形成されていることを特徴とする請求項１２に記載の液晶表示装置。
【請求項１４】
前記第一の横電界生成電極は、前記第一画素電極の各辺のうちの、前記二つの縦辺の外側に配置され、前記第二の横電界生成電極は、前記第二画素電極の各辺のうちの、前記二つの縦辺の外側に配置されていることを特徴とする請求項１３に記載の液晶表示装置。
【請求項１５】
前記第一の横電界生成電極は、前記第一容量電極と一体に形成され、前記第二の横電界生成電極は、前記第二容量電極と一体に形成されていることを特徴とする請求項１４に記載の液晶表示装置。
【請求項１６】
前記第一の電界減衰手段は、前記第一画素部を、前記第一領域と前記第二領域とに二等分するように配置され、前記第二の電界減衰手段は、前記第二画素部を、前記第三領域と前記第四領域とに二等分するように配置されていることを特徴とする請求項７乃至１５のいずれかに記載の液晶表示装置。
【請求項１７】
前記第一の電界減衰手段及び前記第二の電界減衰手段は、前記第一画素電極及び前記第二画素電極の前記縦辺と平行な直線形状に形成されていることを特徴とする請求項１６に記載の液晶表示装置。
【請求項１８】
前記第一の電界減衰手段と前記第二の電界減衰手段とはそれぞれ、前記共通電極の前記液晶層と対向する面上に形成された誘電体層からなっていることを特徴とする請求項７乃至１７のいずれかに記載の液晶表示装置。
【請求項１９】
前記第一の電界減衰手段と前記第二の電界減衰手段とはそれぞれ、前記共通電極に設けられたスリットからなっていることを特徴とする請求項７乃至１７のいずれかに記載の液晶表示装置。
【請求項２０】
前記第一画素電極及び前記第二画素電極を覆って第一配向膜が設けられ、前記共通電極及び前記電界減衰手段を覆って第二配向膜が設けられており、前記第一配向膜と前記第二配向膜とはそれぞれ、前記第一及び第二の電界減衰手段の延伸方向に対して交差する方向にラビングされていることを特徴とする請求項７乃至１８のいずれかに記載の液晶表示装置。
【請求項２１】
前記第一配向膜は、前記第一及び第二の電界減衰手段の延伸方向に対して一方の方向に４５°の角度で交差する方向にラビングされ、前記第二配向膜は、前記第一及び第二の電界減衰手段の延伸方向に対して前記一方の方向とは反対方向に４５°の角度で交差する方向にラビングされており、前記液晶層は、正の誘電異方性を有する液晶からなり、その液晶分子が、前記第一画素電極及び第二画素電極と前記共通電極との間において９０°のツイスト角でツイスト配向していることを特徴とする請求項２０に記載の液晶表示装置。
【請求項２２】
前記第一配向膜は、前記第一及び第二の電界減衰手段の延伸方向に対して一方の方向に９０°の角度で交差する方向にラビングされ、前記第二配向膜は、前記第一及び第二の電界減衰手段の延伸方向に対して前記一方の方向とは反対方向に９０°の角度で交差する方向にラビングされており、前記液晶層は、正の誘電異方性を有する液晶からなり、その液晶分子が、分子長軸を前記第一配向膜及び前記第二配向膜のラビング方向に揃えてホモジニアス配向していることを特徴とする請求項２０に記載の液晶表示装置。
【請求項２３】
前記第一の電圧は、電圧レベルが所定の周期で反転する矩形波交流電圧であり、前記第二の電圧は、一定レベルの直流電圧であることを特徴とする請求項１乃至２２のいずれかに記載の液晶表示装置。
【請求項２４】
前記第一の電圧は、電圧レベルが所定の周期で反転する矩形波交流電圧であり、前記第二の電圧は、電圧レベルが前記第一の電圧と同じ周期で反転し、且つ、振幅が前記第一の電圧の振幅よりも小さい矩形波交流電圧であることを特徴とする請求項１乃至２２のいずかに記載の液晶表示装置。
【手続補正４９】
【補正対象書類名】図面
【補正対象項目名】図４５
【補正方法】変更
【補正の内容】
【図４５】
2011164478.tif 000001
【手続補正５０】
【補正対象書類名】図面
【補正対象項目名】図４６
【補正方法】変更
【補正の内容】
【図４６】
2011164478.tif 000002